(57)【要約】【課題】構成部材に軽量かつ強度性を持たせて組立及び解体の作業性の向上と安全性の向上を図れるようにすること。【解決手段】地上に立設される複数の支柱１と、各支柱１に装着された楔受け部２に楔着される楔体３を有するブラケット２０と、ブラケット２０間に着脱可能に架設される足場板４０と、各支柱１の楔受け部２に楔着される楔体３を有する手摺３０とを具備する戸建住宅用足場において、支柱１を、ロックピン５０を介して着脱可能に嵌挿固定される、外径寸法が略同一の複数の支柱体にて構成すると共に、少なくとも一つの支柱体をアルミニウムパイプにて形成する。アルミニウムパイプ製支柱体１０は、下端部が下段に位置する支柱体の上端小径部を嵌挿し得る拡管部１２と、ロックピン５０の係合孔１４を有し、かつ、支柱体１０の外周面に、楔受け部２の脚片２ｅを溶接Ｗによって固着する。【選択図】    図１
2004360318.tif 000002
【特許請求の範囲】
【請求項１】
地上に適宜間隔をおいて立設される複数の支柱と、各支柱に装着された楔受け部に楔着される楔体を有するブラケットと、このブラケット間に着脱可能に架設される足場板と、上記各支柱の楔受け部に楔着される楔体を有する手摺とを具備する戸建住宅用足場において、
上記支柱を、弾性変形可能なロックピンを介して着脱可能に嵌挿固定される、外径寸法が略同一の複数の支柱体にて構成すると共に、少なくとも一つの支柱体をアルミニウムパイプにて形成し、
上記アルミニウムパイプ製支柱体は、下端部が下段に位置する支柱体の上端小径部を嵌挿し得るように拡管されると共に、上記ロックピンの係合孔を有し、かつ、この支柱体の外周面に、断面略コ字状に形成される上記楔受け部の脚片を溶接によって固着してなる、ことを特徴とする戸建住宅用足場。
【請求項２】
請求項１記載の戸建住宅用足場において、
上記支柱体の外周面に、楔受け部の取付段部溝を沿設し、この取付段部溝に、断面略コ字状に形成される楔受け部の脚片を係合させると共に、溶接によって固着してなる、ことを特徴とする戸建住宅用足場。
【請求項３】
請求項１記載の戸建住宅用足場において、
上記ロックピンは、弾性を有する線状部材を略逆Ｖ字状に屈曲してなる基部と、この基部の両端から互いに離反する外側方向に屈曲された第１の傾斜片と、この第１の傾斜片の先端から支柱体の小径部に設けられた対向する窓孔を貫通する係止用屈曲部を介して互いに離反する内側方向に屈曲された第２の傾斜片とを具備し、
支柱体を下段の支柱体の小径部に嵌挿した状態において、上記屈曲部が支柱体の係合孔に係合して支柱体を固定し、支柱体を上記第１及び第２の傾斜片の傾き方向に回転することにより、上記ロックピンの固定を解除して、支柱体を取り外し可能に形成してなる、ことを特徴とする戸建住宅用足場。
【請求項４】
請求項１記載の戸建住宅用足場において、
上記ブラケットは、上下部が肉厚に形成されるアルミニウムパイプ製のブラケット本体と、このブラケット本体の端部に装着される鉄製の楔体とを具備してなる、ことを特徴とする戸建住宅用足場。
【請求項５】
請求項１記載の戸建住宅用足場において、
上記手摺は、上下部が肉厚に形成されると共に、対向する両外側面に凹状取付部が形成されるアルミニウムパイプ製の手摺本体と、この手摺本体の端部に装着される鉄製の楔体とを具備してなり、
上記楔体は、上記手摺本体の凹状取付部に嵌合する凹状部を有する取付筒部と、この取付筒部に固着される楔部とを具備し、
上記楔体の取付筒部及び手摺本体の凹状取付部に穿設された貫通孔を貫通するボルトにナットを締結して手摺本体に楔体を固着し、この際、ボルトの頭部及びナットを上記凹状部内に納めるようにした、ことを特徴とする戸建住宅用足場。
【発明の詳細な説明】
【０００１】
【発明の属する技術分野】
この発明は、例えば２階建てや３階建て等の低中層の戸建住宅用足場に関するものである。
【０００２】
【従来の技術】
一般に、戸建住宅を建設する場合、地上に適宜間隔をおいて立設される複数の支柱と、各支柱に装着されるブラケット間に架設される足場板と、手摺とを具備する足場を組み立てて外装作業や屋根作業等を行っている。この場合、溶接等によって支柱に固着された略コ字状の楔受け部に、ブラケットあるいは手摺の端部に装着された楔体をハンマで叩いてブラケットや手摺等を固定する楔式足場が知られている（例えば、特許文献１参照）。
【０００３】
【特許文献１】
特開平５−２２２８３９号公報（特許請求の範囲、段落番号０００９〜００１２、図２）
また、支柱を、上端にほぞ部である小径部を有する複数の支柱体を小径部に嵌め込んで接続すると共に、これら小径部及び支柱体の下端部の側面に設けられた孔を貫通して係合するロックピンにて着脱可能に固定する構造が知られている（例えば、特許文献２参照）。
【０００４】
【特許文献２】
登録実用新案第２５４１３４９号公報（実用新案登録請求の範囲、図１、図２）
上記ロックピンは、金属製板材を略コ字状に形成した板バネ体と、この板バネ体の両端の脚部に取り付けられる金属鋳物等にて形成されるピン部材とで構成されている。また、ピン部材には、支柱体を嵌挿するとき、ピン部材を後退させる縦斜面と、小径部を嵌挿する支柱体を捻ったとき、ピン部材を後退させる横斜面が形成されている。
【０００５】
【発明が解決しようとする課題】
ところで、この種の足場においては、支柱は強度を持たせるために鉄製の支柱体を用い、また、ブラケットや手摺においては、楔体をハンマで叩いて楔受け部に嵌挿して楔着し、取り外す場合には逆方向からハンマで叩いて取り外すため、これにおいても強度を持たせるために鉄製部材にて形成されている。
【０００６】
しかしながら、足場を構成する支柱体、ブラケット及び手摺等の部材を全て鉄製部材にすると、部材の重量が嵩むため、特に高所への部材の運搬に労力を要するばかりか、足場の組立及び解体作業が面倒な上、危険が伴うという問題があった。
【０００７】
この問題を解決する方法として、足場の構成部材の軽量化を図るために、構成部材をアルミニウム製部材にて形成することが考えられるが、上述したような楔式足場においては、ハンマ等で叩いてブラケットや手摺を取り付け、取り外しするため、楔受け部を強固に取り付ける必要がると共に、ブラケット及び手摺自体に強度性を持たせる必要があり、軽量化と強度性とで二律背反の問題がある。
【０００８】
この発明は上記事情に鑑みてなされたもので、構成部材に軽量かつ強度性を持たせて組立及び解体の作業性の向上と安全性の向上を図れるようにした戸建住宅用足場を提供することを目的とする。
【０００９】
【課題を解決するための手段】
上記課題を解決するために、この発明の戸建住宅用足場は、地上に適宜間隔をおいて立設される複数の支柱と、各支柱に装着された楔受け部に楔着される楔体を有するブラケットと、このブラケット間に着脱可能に架設される足場板と、上記各支柱の楔受け部に楔着される楔体を有する手摺とを具備する戸建住宅用足場を前提とし、  上記支柱を、弾性変形可能なロックピンを介して着脱可能に嵌挿固定される、外径寸法が略同一の複数の支柱体にて構成すると共に、少なくとも一つの支柱体をアルミニウムパイプにて形成し、  上記アルミニウムパイプ製支柱体は、下端部が下段に位置する支柱体の上端小径部を嵌挿し得るように拡管されると共に、上記ロックピンの係合孔を有し、かつ、この支柱体の外周面に、断面略コ字状に形成される上記楔受け部の脚片を溶接によって固着してなる、ことを特徴とする（請求項１）。ここで、アルミニウムとは、アルミニウム又はアルミニウム合金を含む意味である。
【００１０】
請求項１記載の発明において、上記支柱体の外周面に、楔受け部の取付段部溝を沿設し、この取付段部溝に、上記楔受け部の脚片を係合させると共に、溶接によって固着する方が好ましい（請求項２）。
【００１１】
請求項３記載の発明は、請求項１記載の戸建住宅用足場において、上記ロックピンは、弾性を有する線状部材を略逆Ｖ字状に屈曲してなる基部と、この基部の両端から互いに離反する外側方向に屈曲された第１の傾斜片と、この第１の傾斜片の先端から支柱体の小径部に設けられた対向する窓孔を貫通する係止用屈曲部を介して互いに離反する内側方向に屈曲された第２の傾斜片とを具備し、支柱体を下段の支柱体の小径部に嵌挿した状態において、上記屈曲部が支柱体の係合孔に係合して支柱体を固定し、支柱体を上記第１及び第２の傾斜片の傾き方向に回転することにより、上記ロックピンの固定を解除して、支柱体を取り外し可能に形成してなる、ことを特徴とする。
【００１２】
この発明において、上記ブラケットは、上下部が肉厚に形成されるアルミニウムパイプ製のブラケット本体と、このブラケット本体の端部に装着される鉄製の楔体とを具備する方が好ましい（請求項４）。
【００１３】
また、上記手摺は、上下部が肉厚に形成されると共に、対向する両外側面に凹状取付部が形成されるアルミニウムパイプ製の手摺本体と、この手摺本体の端部に装着される鉄製の楔体とを具備する方が好ましく、また、上記楔体は、上記手摺本体の凹状取付部に嵌合する凹状部を有する取付筒部と、この取付筒部に固着される楔部とを具備し、上記楔体の取付筒部及び手摺本体の凹状取付部に穿設された貫通孔を貫通するボルトにナットを締結して手摺本体に楔体を固着し、この際、ボルトの頭部及びナットを上記凹状部内に納めるようにする方が好ましい（請求項５）。
【００１４】
請求項１記載の発明によれば、支柱を、弾性変形可能なロックピンを介して着脱可能に嵌挿固定される、外径寸法が略同一の複数の支柱体にて構成すると共に、少なくとも一つの支柱体をアルミニウムパイプにて形成し、このアルミニウムパイプ製支柱体は、下端部が下段に位置する支柱体の上端小径部を嵌挿し得るように拡管されると共に、ロックピンの係合孔を有することにより、支柱を構成する支柱体を軽量にすることができ、また、既存の鉄製の支柱体との互換性を持たせることができる。この場合、アルミニウムパイプ製支柱体の外周面に、楔受け部の取付段部溝を沿設し、この取付段部溝に、断面略コ字状に形成される楔受け部の脚片を係合させると共に、溶接によって固着することにより、溶接部の接触面積を大きくして楔受け部を固着することができる（請求項２）。
【００１５】
請求項３記載の発明によれば、ロックピンは、弾性を有する線状部材を略逆Ｖ字状に屈曲してなる基部と、この基部の両端から互いに離反する外側方向に屈曲された第１の傾斜片と、この第１の傾斜片の先端から支柱体の小径部に設けられた対向する窓孔を貫通する係止用屈曲部を介して互いに離反する内側方向に屈曲された第２の傾斜片とを具備し、支柱体を下段の支柱体の小径部に嵌挿した状態において、屈曲部が支柱体の係合孔に係合して支柱体を固定し、支柱体を第１及び第２の傾斜片の傾き方向に回転することにより、ロックピンの固定を解除して、支柱体を取り外し可能に形成するので、１本の線状部材によって軽量かつ取扱い容易なロックピンを得ることができ、また、支柱体の固定を確実にすることができると共に、取り外しを簡単にすることができる。
【００１６】
請求項４記載の発明によれば、ブラケットは、上下部が肉厚に形成されるアルミニウムパイプ製のブラケット本体と、このブラケット本体の端部に装着される鉄製の楔体とを具備するので、ブラケットの軽量化を図ることができ、また、ブラケットを支柱体に取り付ける際、あるいは取り外す際に、ブラケットをハンマで叩いてもブラケットが変形したり損傷する虞がない。
【００１７】
請求項５記載の発明によれば、手摺は、上下部が肉厚に形成されると共に、対向する両外側面に凹状取付部が形成されるアルミニウムパイプ製の手摺本体と、この手摺本体の端部に装着される鉄製の楔体とを具備するので、手摺の軽量化を図ることができ、また、手摺を支柱体に取り付ける際、あるいは取り外す際に、手摺をハンマで叩いても手摺が変形したり損傷する虞がない。また、楔体は、手摺本体の凹状取付部に嵌合する凹状部を有する取付筒部と、この取付筒部に固着される楔部とを具備し、楔体の取付筒部及び手摺本体の凹状取付部に穿設された貫通孔を貫通するボルトにナットを締結して手摺本体に楔体を固着し、この際、ボルトの頭部及びナットを凹状部内に納めることにより、手摺からの突起部をできる限り少なくすることができる。
【００１８】
【発明の実施の形態】
以下に、この発明の実施の形態を図面に基づいて詳細に説明する。
【００１９】
図１は、この発明の戸建住宅用足場の要部を示す斜視図（ａ）及び足場を構成する支柱体の連結部すなわち嵌挿固定部を示す拡大断面図（ｂ）である。
【００２０】
上記足場は、地上に適宜間隔をおいて立設される複数の支柱１と、各支柱１に装着された楔受け部２に楔着される楔体３を有するブラケット２０と、このブラケット２０間に着脱可能に架設される足場板４０と、各支柱１の楔受け部２に楔着される楔体３を有する手摺３０とで主に構成されている。
【００２１】
上記支柱１は、後述する弾性変形可能なロックピン５０を介して着脱可能に嵌挿固定される、外径寸法が略同一の複数の支柱体１０にて構成されており、少なくとも一つの支柱体１０はアルミニウムパイプにて形成されている。この場合、例えば、地上に設置されるジャッキベース部材４に連結される最下段の支柱体１０Ａを鉄製のパイプ部材にて形成し、支柱体１０Ａ以外の支柱体１０を全てアルミニウムパイプ製にするか、あるいは、鉄製パイプとアルミニウムパイプの混合とすることができる。なお、ジャッキベース部材４に連結される最下段の支柱体を含めて全てアルミニウムパイプ製の支柱体１０とすることも可能である。
【００２２】
アルミニウムパイプ製支柱体１０（以下に、支柱体１０という）は、図２に示すように、上端に小径部１１を延在し、下端部には下段に位置する支柱体１０（１０Ａ）の上端小径部１１を嵌挿し得る拡管部１２を有し、拡管部１２の対向する側面にロックピン５０の係合孔１４を有し、かつ、この支柱体１０の外周面の対向する４箇所に、楔受け部２（２ａ〜２ｄ）を取り付けるための断面略直角状の取付段部溝１５が支柱体１０の長手方向に沿設されている。また、支柱体１０における適宜間隔をおいた取付段部溝１５には、断面略コ字状に形成される楔受け部２（２ａ〜２ｄ）の脚片２ｅが係合されると共に、その接合部が溶接Ｗによって固着されている（図３参照）。したがって、楔受け部２（２ａ〜２ｄ）の脚片２ｅが取付段部溝１５の底面と側面に接触するので、溶接部の接触面積が広くなり、楔受け部２（２ａ〜２ｄ）が強固に固着される。
【００２３】
なお、この場合、４個の楔受け部２（２ａ〜２ｄ）が近傍部位に固着されており、対向する２個の楔受け部２ａ，２ｂが同一高さ位置に固着され、残りの２個の楔受け部２ｃ，２ｄが楔受け部２ａ，２ｂの近傍下方側の直交する対向位置に固着されている（図２及び図３参照）。
【００２４】
また、支柱体１０は、押出成形によって取付段部溝１５を同時に形成したアルミニウムパイプにて形成される支柱体基部１０ａの上端開口部に、アルミニウムパイプにて形成される小径部１１を挿入し、支柱体基部１０ａの上端部の側面に設けられた貫通孔１０ｂを溶接Ｗして支柱体基部１０ａと小径部１１とを固定している（図４参照）。なお、支柱体基部１０ａの下端部を拡管加工して拡管部１２を形成する。このように形成される支柱体１０は、異なる長さの数種類、例えば３ｍ８０ｃｍ、１ｍ９０ｃｍ、９５ｃｍの３種類が用意されて、目的に応じて組み合せできるようになっている。
【００２５】
この場合、例えば、図４に示すように、支柱体基部１０ａの外径は４８．６ｍｍに形成されて、鉄製の支柱体１０Ａの外径と同一されている。また、支柱体基部１０ａの内径は４３ｍｍに形成されている。したがって、支柱体基部１０ａの肉厚は２．８ｍｍと厚く形成されており、支柱体１０の強度が高められている。なお、小径部１１の外径は４２．７ｍｍに形成され、拡管部１２の外径は４９．６ｍｍ、内径は４４ｍｍに形成されている。一方、鉄製支柱体１０Ａの外径は支柱体１０の外径と同様に４８．６ｍｍに形成され、内径は拡管部１２の内径と同様に４４ｍｍに形成され、鉄製支柱体１０Ａの小径部１１Ａの外径は支柱体１０の小径部１１と同様に４２．７ｍｍに形成されている。なお、ジャッキベース部材４の外径は４２．２ｍｍに形成されている。これら支柱体１０，１０Ａの外径寸法等は一例であり、略同一寸法であれば任意の寸法であってもよい。
【００２６】
上記のように、支柱体１０と鉄製支柱体１０Ａの外径寸法、小径部１１の外径寸法を同一にすると共に、拡管部１２の内径寸法と鉄製支柱体１０Ａの内径寸法とを同一にすることにより、支柱体１０と鉄製支柱体１０Ａとに互換性を持たせて選択使用することができる。すなわち、支柱体１０の拡管部１２に鉄製支柱体１０Ａの小径部１１Ａを嵌挿したり、あるいは、鉄製支柱体１０Ａの下端部に支柱体１０の小径部１１を嵌挿して、支柱体１０と鉄製支柱体１０Ａとを適宜選択して使用することができる。したがって、既存の鉄製支柱体１０Ａと支柱体１０とを同様に取り扱うことができるので、在庫管理や運搬が便利となる。
【００２７】
上記ロックピン５０は、図５に示すように、弾性を有する線状部材例えばばね鋼製針金を略逆Ｖ字状に屈曲してなる基部５１と、この基部５１の両端から互いに離反する外側方向に屈曲された第１の傾斜片５２と、この第１の傾斜片５２の先端から支柱体１０（１０Ａ）の小径部１１（１１Ａ）に設けられた対向する窓孔１３を貫通する係止用屈曲部５３を介して互いに離反する内側方向に屈曲された第２の傾斜片５４とを具備している。このように形成されるロックピン５０は、弾性力に抗して押圧して両第１及び第２の傾斜片５２，５４を近づけて、支柱体１０（１０Ａ）の小径部１１（１１Ａ）内に挿入され、その後、押圧力を解除して、小径部１１（１１Ａ）に設けられた窓孔１３内から屈曲部５３を外方に突出した状態にセットされる。そして、図６に示すように、支柱体１０（１０Ａ）を下段の支柱体１０（１０Ａ）の小径部１１（１１Ａ）に嵌挿した状態において、屈曲部５３が支柱体１０（１０Ａ）の係合孔１４に係合して支柱体１０（１０Ａ）を固定する。また、支柱体１０（１０Ａ）を第１及び第２の傾斜片５２，５４の傾き方向に回転する（捻る）ことにより、ロックピン５０の固定を解除して、支柱体１０（１０Ａ）を取り外し可能にすることができる。
【００２８】
上記のように、ロックピン５０を１本の線状部材例えばばね鋼製針金にて形成することができるので、従来のように、金属製板材を略コ字状に形成した板バネ体と、この板バネ体の両端の脚部に取り付けられる金属鋳物等にて形成されるピン部材とで構成されるロックピンに比べて材料を削減することができると共に、容易に成形することができる。また、取扱いが容易な上、支柱体１０（１０Ａ）同士を確実に固定することができると共に、容易に取り外すことができる。
【００２９】
上記手摺３０は、図７及び図８に示すように、上下部に肉厚部３２が形成されると共に、対向する両外側面に、端部側に開口して軸方向に延びる凹状取付部３３が形成されたアルミニウムパイプ製の手摺本体３１と、この手摺本体３１の端部に装着される鉄製例えばステンレス鋼製の楔体３とを具備している。
【００３０】
この場合、楔体３は、図１０に示すように、手摺本体３１の凹状取付部３３に嵌合する凹状部３４を有する取付筒部３５と、この取付筒部３５に例えば溶接等によって固着される楔部３６とで形成されている。
【００３１】
上記のように形成される楔体３を手摺本体３１に装着するには、図９に示すように、取付筒部３５及び手摺本体３１の凹状取付部３３に穿設された貫通孔３７を貫通するボルト３８にナット３９を締結して手摺本体３１に楔体３を固着する。この際、ボルト３８の頭部３８ａ及びナット３９を凹状部３４内に納めて、外部への突出部をできる限り少なくしてある。したがって、作業者が不用意に手摺３０に手や衣服を引っ掛けるのを防止することができる。
【００３２】
上記ブラケット２０は、図１１に示すように、上下部に肉厚部２２が形成されるアルミニウムパイプ製のブラケット本体２１と、このブラケット本体２１の両端部に装着される鉄製例えばステンレス鋼製の楔体３Ａと、先端がブラケット本体２１の下面に溶接等によって固着され、基端部に支柱体１０（１０Ａ）の側面に当接するＶ字状当接部２３を有するアルミニウム板製のブレース２４と、このブレース２４の基端側とブラケット本体２１の下面とにそれぞれ溶接等によって固着されるアルミニウム製の補強板２５と、ブラケット本体２１の対向する４箇所にそれぞれ溶接等によって固着される４個の断面略コ字状の楔受け部２Ａとを具備している。なお、ブラケット本体２１の両側の２箇所の対向する部位には、断面略コ字状の楔受け部２Ａが溶接等により固着されている。
【００３３】
この場合、楔体３Ａは、ブラケット本体２１に嵌合される取付筒部３５と、この取付筒部３５に例えば溶接等によって固着される楔部３６とで形成されている。この楔体３Ａをブラケット本体２１に装着するには、取付筒部３５及びブラケット本体２１に穿設された貫通孔（図示せず）を貫通するボルト３８にナット３９を締結してブラケット本体２１に楔体３Ａを固着する。この楔体３Ａはブラケット本体２１の両端部に装着されており、対峙する支柱１｛具体的には、支柱体１０（１０Ａ）｝に固着された対向する楔受け部２に楔着されることによってブラケット２０を強固に取り付けることができるようになっている。なお、楔体３Ａは必ずしもブラケット本体２１の両端部に装着する必要はなく、少なくともブレース２４の基端側に位置する端部に装着されていればよい。
【００３４】
一方、上記足場板４０は、図１２及び図１３に示すように、長手方向に沿う複数例えば７個（列）の凸部４１ａ，４１ｂを有する凹凸状の踏み板部４１と、この踏み板部４１の両端から下面に垂下する一対の断面略Ｌ字状の補強側壁片４２と、踏み板部４１の下面中間部の両側に垂下する互いに平行な２列の断面略矩形状の中空補強部４３とを具備するアルミニウム製押出形材にて形成されている。また、足場板４０の踏み板部４１の凸部４１ａ，４１ｂには、適宜間隔をおいて多数の滑り止め兼用の水抜き孔４４ａ，４４ｂが穿設されている。この場合、両中空補強部４３の間には３列の凸部４１ａが形成され、中空補強部４３より外側には凸部４１ａより幅広の２列の凸部４１ｂが形成されており、凸部４１ａには略方形状の水抜き孔４４ａが狭いピッチ間隔で穿設され、また、凸部４１ｂには長手方向が長い略矩形状の水抜き孔４４ｂが同じく狭いピッチ間隔で穿設されている。したがって、足場板４０の踏み板部４１は、開口率（例えば３７％）の大きい水抜き孔４４ａ，４４ｂが形成されるので、滑り難い上、表面に汚れが付き難く、しかも、建物の壁を汚す雨だれの跳ね返りを防止することができる。
【００３５】
また、足場板４０における長手方向の両端部にはアルミニウム製の塞ぎ板４５が溶接等によって固着されている。この塞ぎ板４５を介して足場板４０の一側には、長手方向の外方に突出するステンレス鋼製のフック金具４６がボルト４７及びナット４８によって固定されている。また、足場板４０における長手方向の両端部の他側部には、ブラケット２０に設けられた楔受け部２Ａに挿入されるステンレス鋼製の楔体３Ｂが溶接等によって固着されている。なお、塞ぎ板４５における中空補強部４３を塞ぐ部位には、水抜き孔４９が設けられている。
【００３６】
次に、この発明に係る足場の一例の組立手順について説明する。まず、ジャッキベース部材４と最下段の支柱体例えば鉄製支柱体１０Ａを連結する。次に、支柱体１０Ａの小径部１１Ａにロックピン５０を取り付ける。ロックピン５０を取り付けるには、弾性力に抗して押圧して両第１及び第２の傾斜片５２，５４を近づけて、支柱体１０Ａの小径部１１Ａ内に挿入した後、押圧力を解除して、小径部１１Ａに設けられた窓孔１３内から屈曲部５３を外方に突出した状態にセットする。なお、ロックピン５０を予め支柱体１０Ａの小径部１１Ａに取り付けておいてもよい。この状態で、支柱体１０Ａを立て、ジャッキベース部材４を図示しないアンカで固定して、複数の支柱体１０Ａを適時間隔に設置する。
【００３７】
次に、支柱体１０Ａにブラケット２０を取り付ける。この際、ブラケット２０の楔体３Ａをハンマで叩いて支柱体１０Ａに固着された楔受け部２に楔着して、ブラケット２０を取り付ける。同様にして各支柱体１０Ａにブラケット２０を取り付ける。
【００３８】
次に、隣接する支柱体１０Ａに取り付けられたブラケット２０間に足場板４０を架設する。この際、足場板４０に設けられた楔体３Ｂをハンマで叩いてブラケット２０に固着された楔受け部２に楔着すると共に、足場板４０に設けられたフック金具４６をブラケット本体２１に引っ掛けて足場板４０を強固に架設することができる。
【００３９】
次に、架設された足場板４０を利用して隣接する支柱体１０Ａに手摺３０を取り付ける。この際、手摺３０に設けられた楔体３をハンマで叩いて支柱体１０Ａに固着された楔受け部２に楔着して、手摺３０を強固に取り付けることができる。
【００４０】
また、足場板４０を利用して支柱体１０Ａの先端小径部１１Ａに２段目の支柱体例えばアルミニウムパイプ製支柱体１０を連結する。この際、支柱体１０の下端の拡管部１２内に小径部１１Ａを嵌挿させると、ロックピン５０の屈曲部５３が支柱体１０の係合孔１４に係合して支柱体１０が固定される。これにより、支柱体１０は回転が阻止されると共に、不用意に抜けることがなくなる。このようにして、各支柱体１０Ａの小径部１１Ａに拡管部１２を嵌挿して支柱体１０を連結する。
【００４１】
次に、支柱体１０に、上記と同様にブラケット２０を取り付ける。すなわち、ブラケット２０の楔体３Ａをハンマで叩いて支柱体１０に固着された楔受け部２に楔着して、ブラケット２０を取り付ける。同様にして各支柱体１０にブラケット２０を取り付ける。
【００４２】
次に、隣接する支柱体１０に取り付けられたブラケット２０間に、上記と同様に足場板４０を架設する。すなわち、足場板４０に設けられた楔体３Ｂをハンマで叩いてブラケット２０に固着された楔受け部２に楔着すると共に、足場板４０に設けられたフック金具４６をブラケット本体２１に引っ掛けて足場板４０を強固に架設する。
【００４３】
架設された足場板４０を利用して隣接する支柱体１０に、上記と同様に手摺３０を取り付ける。すなわち、手摺３０に設けられた楔体３をハンマで叩いて支柱体１０に固着された楔受け部２に楔着して、手摺３０を強固に取り付けることができる。
【００４４】
以下同様に、足場板４０を利用して、支柱体１０の小径部１１にロックピン５０を介して支柱体１０を嵌挿固定し、各支柱体１０にブラケット２０を取り付けると共に、ブラケット２０間に足場板４０を架設し、更に、隣接する支柱体１０間に手摺３０を取り付けて、所定の高さの足場を組み立てる。
【００４５】
上記のようにして組み立てられた足場は、最下段に鉄製の支柱体１０Ａを位置させ、その上方にアルミニウムパイプ製の支柱体１０を使用し、また、ブラケット２０はアルミニウム製のブラケット本体２１を有し、手摺３０においてもアルミニウムパイプからなる手摺本体３１を有するので、足場構成部材を軽量化することができ、高所での作業を容易にすると共に、安全に行うことができる。また、支柱体１０においても肉厚に形成されているので、強度が得られる。また、ブラケット２０及び手摺３０においては、ブラケット本体２１及び手摺本体３１の上下部に肉厚部２２，３２が形成され、しかも、ステンレス鋼製の楔体３，３Ａを装着してなるため、取り付ける際にハンマで叩いても変形する虞がなく、十分な強度が得られるので、寿命の増大が図れ、繰り返し使用することができる。また、手摺３０は、手摺本体３１と楔体３とを連結（締結）するボルト３８の頭部３８ａ及びナット３９を凹状部３４内に納めているので、手摺３０からの突起部をできる限り少なくすることができ、作業者が不用意に手を引っ掛けたり、衣服を引っ掛ける心配がなく、作業を安全にすることができる。
【００４６】
足場を解体する場合は、手摺３０と足場板４０とブラケット２０においては、楔体３，３Ａの取付筒部３５の下面等をハンマで叩いて楔体３，３Ａ，３Ｂと楔受け部２（２Ａ）との楔着を解いて、手摺３０、足場板４０及びブラケット２０を順に取り外す。また、支柱１を解体する場合は、上述したように、支柱体１０（１０Ａ）をロックピン５０の第１及び第２の傾斜片５２，５４の傾き方向に回転する（捻る）ことにより、ロックピン５０の固定を解除して、支柱体１０（１０Ａ）を取り外す。
【００４７】
足場を解体する場合においても、支柱体１０がアルミニウム製であり、また、ブラケット２０はアルミニウム製のブラケット本体２１を有し、手摺３０においてもアルミニウムパイプからなる手摺本体３１を有するので、高所での作業を容易にすると共に、安全に行うことができる。また、ブラケット２０及び手摺３０においては、ブラケット本体２１及び手摺本体３１の上下部に肉厚部２２，３２が形成され、しかも、ステンレス鋼製の楔体３，３Ａを装着してなるため、取り外しの際にハンマで叩いても変形する虞がなく、十分な強度が得られるので、寿命の増大が図れ、繰り返し使用することができる。
【００４８】
なお、上記説明では、最下段に鉄製の支柱体１０Ａを位置させ、その上方にアルミニウム製の支柱体１０を位置させる場合について説明したが、鉄製の支柱体１０Ａとアルミニウムパイプ製の支柱体１０とは互換性があり、しかも支柱体１０は肉厚に形成されて強度性を有するので、適宜選択して支柱１を構成することは可能である。
【００４９】
【発明の効果】
以上に説明したように、この発明によれば、上記のように構成されているので、以下のような優れた効果が得られる。
【００５０】
（１）請求項１記載の発明によれば、支柱を、弾性変形可能なロックピンを介して着脱可能に嵌挿固定される、外径寸法が略同一の複数の支柱体にて構成すると共に、少なくとも一つの支柱体をアルミニウムパイプにて形成し、このアルミニウムパイプ製支柱体は、下端部が下段に位置する支柱体の上端小径部を嵌挿し得るように拡管されると共に、ロックピンの係合孔を有することにより、支柱を構成する支柱体を軽量にすることができ、また、既存の鉄製の支柱体との互換性を持たせることができる。したがって、足場を構成する支柱体の軽量化が図れると共に、強度性の向上を図ることができるので、足場の組立及び解体の作業性の向上が図れると共に、安全性の改善が図れる。この場合、アルミニウムパイプ製支柱体の外周面に、楔受け部の取付段部溝を沿設し、この取付段部溝に、断面略コ字状に形成される楔受け部の脚片を係合させると共に、溶接によって固着することにより、溶接部の接触面積を広くできるので、楔受け部を強固に固着することができる（請求項２）。
【００５１】
（２）請求項３記載の発明によれば、ロックピンは、弾性を有する線状部材を略逆Ｖ字状に屈曲してなる基部と、この基部の両端から互いに離反する外側方向に屈曲された第１の傾斜片と、この第１の傾斜片の先端から支柱体の小径部に設けられた対向する窓孔を貫通する係止用屈曲部を介して互いに離反する内側方向に屈曲された第２の傾斜片とを具備し、支柱体を下段の支柱体の小径部に嵌挿した状態において、屈曲部が支柱体の係合孔に係合して支柱体を固定し、支柱体を第１及び第２の傾斜片の傾き方向に回転することにより、ロックピンの固定を解除して、支柱体を取り外し可能に形成するので、上記（１）に加えて更に、１本の線状部材によって軽量かつ取扱い容易なロックピンを得ることができ、また、支柱体の固定を確実にすることができると共に、取り外しを簡単にすることができる。
【００５２】
（３）請求項４記載の発明によれば、ブラケットは、上下部が肉厚に形成されるアルミニウムパイプ製のブラケット本体と、このブラケット本体の端部に装着される鉄製の楔体とを具備することにより、ブラケットの軽量化を図ることができ、また、ブラケットを支柱体に取り付ける際、あるいは取り外す際に、ブラケットをハンマで叩いてもブラケットが変形したり損傷する虞がない。したがって、上記（１）に加えて更に、足場の組立及び解体の作業性の向上が図れると共に、安全性の改善が図れる。また、ブラケットの寿命の増大が図れると共に、長期に渡って繰り返し使用を可能にすることができる。
【００５３】
（４）請求項５記載の発明によれば、手摺は、上下部が肉厚に形成されると共に、対向する両外側面に凹状取付部が形成されるアルミニウムパイプ製の手摺本体と、この手摺本体の端部に装着される鉄製の楔体とを具備することにより、手摺の軽量化を図ることができ、また、手摺を支柱体に取り付ける際、あるいは取り外す際に、手摺をハンマで叩いても手摺が変形したり損傷する虞がない。また、楔体は、手摺本体の凹状取付部に嵌合する凹状部を有する取付筒部と、この取付筒部に固着される楔部とを具備し、楔体の取付筒部及び手摺本体の凹状取付部に穿設された貫通孔を貫通するボルトにナットを締結して手摺本体に楔体を固着し、この際、ボルトの頭部及びナットを凹状部内に納めることにより、手摺からの突起部をできる限り少なくすることができる。したがって、上記（１）に加えて更に、足場の組立及び解体の作業性の向上が図れると共に、安全性の改善が図れる。また、手摺の寿命の増大が図れると共に、長期に渡って繰り返し使用を可能にすることができる。
【図面の簡単な説明】
【図１】この発明の足場の要部を示す斜視図（ａ）及びこの発明における支柱体の連結部の拡大断面図（ｂ）である。
【図２】この発明における支柱体の正面図（ａ）、側面図（ｂ）及び拡大平面図（ｃ）である。
【図３】この発明における支柱体と楔受け部との固着状態を示す斜視図である。
【図４】この発明における鉄製支柱体とアルミニウムパイプ製支柱及びジャッキベース部材を示す分解側面図である。
【図５】この発明におけるロックピンを示す斜視図である。
【図６】上記ロックピンを介して支柱体同士を嵌挿固定した状態の断面図（ａ）、ロック解除状態の断面図（ｂ）及び支柱体を取り外した状態の断面図（ｃ）である。
【図７】この発明における手摺の平面図（ａ）及び側面図（ｂ）である。
【図８】この発明における手摺本体の端部を示す側面図（ａ）、（ａ）のＩ−Ｉ線に沿う断面図（ｂ）及び（ａ）のＩＩ−ＩＩ線に沿う断面図（ｃ）である。
【図９】この発明における手摺本体と楔体との固定（装着）状態を示す断面図である。
【図１０】この発明における楔体の正面図（ａ）、側面図（ｂ）及び背面図（ｃ）である。
【図１１】この発明におけるブラケットの平面図（ａ）、側面図（ｂ）及び底面図（ｃ）である。
【図１２】この発明における足場板の平面図（ａ）及び側面図（ｂ）である。
【図１３】図１２のＩＩＩ−ＩＩＩ線に沿う拡大断面図である。
【符号の説明】
１  支柱
２，２ａ〜２ｄ  楔受け部
２ｅ  脚片
３，３Ａ  楔体
１０，１０Ａ  支柱体
１１，１１Ａ  小径部
１２  拡管部
１３  窓孔
１４  係合孔
１５  取付段部溝
２０  ブラケット
２１  ブラケット本体
２２  肉厚部
３０  手摺
３１  手摺本体
３２  肉厚部
３３  凹状取付部
３４  凹状部
３５  取付筒部
３６  楔部
３８  ボルト
３８ａ  ボルト頭部
３９  ナット
４０  足場板
５０  ロックピン
５１  基部
５２  第１の傾斜片
５３  係止用屈曲部
５４  第２の傾斜片
【図１】
2004360318.tif 000003
【図２】
2004360318.tif 000004
【図３】
2004360318.tif 000005
【図４】
2004360318.tif 000006
【図５】
2004360318.tif 000007
【図６】
2004360318.tif 000008
【図７】
2004360318.tif 000009
【図８】
2004360318.tif 000010
【図９】
2004360318.tif 000011
【図１０】
2004360318.tif 000012
【図１１】
2004360318.tif 000013
【図１２】
2004360318.tif 000014
【図１３】
2004360318.tif 000015